(57)【要約】      （修正有）【課題】ポケット格納スペースは小さいが、収容物を出し入れする開口面積の大きなシート用のポケットを提供する。【解決手段】シートに設けられた凹部２０内に水平方向へ出入自在に配され、凹部２０内では折り畳み格納されており、凹部２０から引き出すことで上面が開口する容器状に展開されるシート用ポケット１０である。ポケット１０の奥面には、平板状のスライドベース１２が配されている。スライドベース１２の周縁には、外方に延在する突起１５が設けられている。凹部２０の内壁には案内溝２１が凹設されている。そして、ポケット１０を凹部２０から引き出すと、突起１５が案内溝２１で案内されながら、スライドベース１２を含めてポケット１０全体がシートの外方へスライド移動する。【選択図】図２
2012020669.tif 000002
【特許請求の範囲】
【請求項１】
シートに設けられた凹部内に水平方向へ出入自在に配され、前記凹部内では折り畳み格納されており、前記凹部から引き出すことで上面が開口する容器状に展開されるシート用ポケットであって、
前記ポケットの奥面には、平板状のスライドベースが配されており、
前記スライドベースの周縁には外方に延在する突起が設けられており、
前記凹部の内壁には案内溝が凹設されており、
前記ポケットを前記凹部から引き出すと、前記突起が前記案内溝で案内されながら、前記スライドベースを含めて前記ポケット全体がシート外方へスライド移動することを特徴とする、シート用ポケット。
【請求項２】
前記突起は、前記スライドベースの上下両縁又は左右両縁へ対向状に設けられており、前記案内溝も前記凹部内壁の対向面に設けられていることを特徴とする、請求項１に記載のシート用ポケット。
【請求項３】
前記ポケットには、前記凹部内での折り畳み形状を保形するマグネットが設けられていることを特徴とする、請求項１または請求項２に記載のシート用ポケット。
【発明の詳細な説明】
【技術分野】
【０００１】
本発明は、シートに設けられた凹部内に出入自在に配され、凹部内では折り畳み格納されており、凹部から引き出すことで容器状に展開されるシート用ポケットに関する。
【背景技術】
【０００２】
シート用ではないが、この種のポケットとして下記特許文献１がある。特許文献１では、扇形状に展開可能な蛇腹状のポケットが、車両のインストルメントパネルに設けられている。特許文献１では、３つの形態が提案されている。第１形態では、図５，６に示すように、扇形状ポケット１００の下端及び上縁後端を凹部１０１の内壁へ固定し、凹部開口を塞ぐ蓋板（前面板）１０２を開けることでポケット１００を展開し、上面を開口している。符合１１０はインストルメントパネルである。第２形態では、ポケットを凹部内へ水平に（横臥状態で）配したうえで、これの底面に平板状のスライドベースを配している。そして、スライドベースと共にポケットを凹部から水平に引き出すことで、扇形状のポケットを側方に開口させている。第３形態では、第１形態と同様にポケットを凹部内へ縦向きに配しているが、スライドベースを配したうえで、スライドベースと共にポケットを凹部から上下方向に引き出している。
【先行技術文献】
【特許文献】
【０００３】
【特許文献１】実開平６−４２４２４号公報
【発明の概要】
【発明が解決しようとする課題】
【０００４】
しかしながら、特許文献１の第１形態では、ポケットの下端及び上縁後端が凹部内壁に固定されているので、図６に示すように、蓋板１０２を開いてポケット１００の上面を開口させても、当該ポケット１００の奥部は凹部１０１内に留まっている。これでは、ポケット１００の上面開口の一部が凹部１０１内にあるので、実際に収容物を出し入れできる開口面積は小さく、収容物を出し入れし難い。一方、第２・第３形態では、スライドベースを設けてポケット全体を凹部から引き出しているが、凹部の奥行を大きくする必要がある。これでは、凹部寸法（ポケット格納スペース）が制限されるシートへは適用し難い。仮にシートへ適用するとしても、シートを大型化しなければならなくなる。
【０００５】
そこで、本発明は上記課題を解決するものであって、その目的は、ポケット格納スペースは小さいが、収容物を出し入れする開口面積の大きなシート用のポケットを提供することにある。
【課題を解決するための手段】
【０００６】
そのための手段として本発明は、シートに設けられた凹部内に水平方向へ出入自在に配され、前記凹部内では折り畳み格納されており、前記凹部から引き出すことで上面が開口する容器状に展開されるシート用ポケットであって、前記ポケットの奥面には、平板状のスライドベースが配されており、前記スライドベースの周縁には外方に延在する突起が設けられており、前記凹部の内壁には案内溝が凹設されている。そして、前記ポケットを前記凹部から引き出すと、前記突起が前記案内溝で案内されながら、前記スライドベースを含めて前記ポケット全体がシート外方へスライド移動することを特徴とする。
【０００７】
これによれば、凹部から引き出すことで上面が開口するポケットを水平方向に出入自在としているので、ポケットの格納スペースが小さくなり、シートへも好適に適用できる。なお、本発明において水平方向とは、上下方向ではないことを意味しており、必ずしも真横に出し入れされるものではなく、若干斜め上方又は斜め下方へ出し入れする場合も含む。そのうえで、ポケットを凹部から引き出すと、スライドベースを含めてポケット全体がシート外方へスライド移動するので、収容物を出し入れする開口面積を大きくすることができる。また、スライドベースは突起が案内溝で案内されながらスライドするので、ポケット全体を円滑に出し入れすることができる。
【０００８】
前記突起及び案内溝は、スライドベースの一縁や凹部周壁の一面に設けるのみでもよいが、前記突起を前記スライドベースの上下両縁又は左右両縁へ対向状に設けると共に、前記案内溝も前記凹部内壁の対向面に設けることが好ましい。これによれば、スライドベース延いてはポケットをより円滑に安定してスライドさせることができる。
【０００９】
また、前記ポケットには、前記凹部内での折り畳み形状を保形するマグネットを設けておくことが好ましい。これによれば、ポケットを確実にコンパクトに折り畳み格納することができる。また、ポケットの反発力（復元力）等によってポケットが凹部内において展開され、格納状態においてポケットが不用意に凹部から突出することも避けられる。
【発明の効果】
【００１０】
本発明によれば、上面が開口する折り畳み可能なポケットを水平方向へ出し入れしているので、ポケットの格納スペースを小さくできる。また、ポケットを凹部から引き出す際にポケットの奥面もシート外方へスライド移動するので、ポケットの上面開口のほぼ全体を収容物の出し入口として使用できる。
【図面の簡単な説明】
【００１１】
【図１】シートの斜視図である。
【図２】ポケットの分解斜視図である。
【図３】ポケット格納状態における突起部での断面図である。
【図４】ポケット展開状態における突起部での断面図である。
【図５】従来技術のポケット格納状態の断面図である。
【図６】従来技術のポケット展開状態の断面図である。
【発明を実施するための形態】
【００１２】
以下に、適宜図面を参照しながら本発明の代表的な実施形態について説明するが、これに限られず、本発明の要旨を逸脱しない範囲において種々の変更が可能である。
【００１３】
図１に示すように、本発明のポケット１０は、代表的には自動車などの車両用シート１へ適用される。シート１は、乗員の着座部となるシートクッション２と、乗員の背凭れとなるシートバック３と、乗員の頭部を支持するヘッドレスト４と、シートクッション２の側面を覆う樹脂製のサイドシールド５とを有する。そのうえで、ポケット１０がシート１の側面に設けられている。詳しくは、図２に示すように、サイドシールド５に凹部２０が凹設されており、当該凹部２０内へポケット１０が水平方向へ出し入れ自在に配されている。
【００１４】
図２に示すように、ポケット１０は、当該ポケット１０の前面に配され、サイドシールド５の凹部２０の側面開口を塞ぐ蓋板１１と、ポケット１０の奥面に配される平板状のスライドベース１２と、蓋板１１とスライドベース１２との間において展開・折り畳み可能なポケット本体部１３とを有する。蓋板１１及びスライドベース１２の外形寸法は、凹部２０の開口寸法とほぼ同じである。ポケット１０を展開すると、上面に開口を有する容器状を呈する。本実施形態のポケット本体部１３は、ポケット１０の底壁と側壁を形成しているのみであり、蓋板１１がポケット１０の前壁を、スライドベース１２がポケット１０の奥壁を、それぞれ兼ねている。これにより、ポケット本体部１３自体を容器状に形成するよりも材料コストを低減できる。蓋板１１、スライドベース１２、ポケット本体部１３は、それぞれ合成樹脂製である。ポケット本体部１３には、適宜布製の表皮を被せたり貼着することも好ましい。蓋板１１及びスライドベース１２とポケット本体部１３とは、接着、ビス留め、ボタン留め、又は係合孔と突起による係合などによって互いに接合することができる。本実施形態では、蓋板１１とポケット本体部１３とは接着し、スライドベース１２とポケット本体部１３とはボタン１４によって固定している。
【００１５】
スライドベース１２の周縁には、当該スライドベース１２の平面方向外方に延在する複数の突起１５が一体形成されている。詳しくは、スライドベース１２の周縁のうち対向する上下両縁の左右二箇所に、突起１５が突設されている。また、スライドベース１２の背面には、複数（本実施形態では左右二箇所）のマグネット１６が設けられている。詳しくは、図３，４に示すように、マグネット１６は、これの表面がスライドベース１２の背面とほぼ面一となる状態で埋設されている。
【００１６】
一方、ポケット本体部１３には、切欠き状の折溝が所定箇所に形成されていることで、折線が予め定められており、常に同じ状態で綺麗に折り畳まれるようになっている。そのうえで、ポケット本体部１３には、図２に示すように、折り畳み形状を保形する複数のマグネット１７が設けられている。詳しくは、ポケット本体部１３が折り畳まれたとき、互いに重なり合う面同士に一対のマグネット１７が対向状に配されている。本実施形態では、ポケット１０の左右両側壁にそれぞれ一対のマグネット１７を設けている。
【００１７】
凹部２０の内壁には、開口面近傍から奥端にかけて複数の案内溝２１が凹設されている。詳しくは、凹部２０の内壁のうち対向する上下両壁の左右二箇所に、案内溝２１が設けられている。また、凹部２０の奥壁には、スライドベース１２に埋設されたマグネット１６に臨む複数（本実施形態では左右二箇所）のマグネット２２が設けられている。当該凹部２０のマグネット２２も、図３，４に示すように、これの表面が凹部２０の奥壁とほぼ面一となる状態で埋設されている。そのうえで、各案内溝２１にそれぞれ各突起１５をスライド自在に係合させた状態で、ポケット１０が凹部２０内へ出し入れ自在に嵌め込まれる。
【００１８】
次に、ポケット１０の使用方法について説明する。先ず、ポケット１０の不使用時は、図１、３に示すように、ポケット１０は凹部２０内にて折り畳み格納されている。このとき、蓋板１１は、サイドシールド５とほぼ面一となっている。また、スライドベース１２のマグネット１６と凹部２０のマグネット２２とが互いに磁力によって引き合うことで、ポケット１０が凹部２０内で保持されている。このとき、両マグネット１６・２２はそれぞれスライドベース１２と凹部２０へ埋設されているので、スライドベース１２と凹部２０の奥壁とは近接している。これにより、凹部２０の奥行き、すなわちポケット１０の格納スペースをよりコンパクトにできる。また、ポケット本体部１３には予め折れ線が形成されているので、綺麗且つコンパクトに折り畳まれている。そのうで、ポケット１０（ポケット本体部１３）の左右両側壁にそれぞれ設けられた一対のマグネット１７によって、ポケット１０の折り畳み状態が保形されている。これにより、ポケット１０が不用意に凹部２０から突出することが防がれる。
【００１９】
ポケット１０へ各種収容物を収容したいときは、図４に示すように、蓋板１１をサイドシールド５の外方へ水平方向に引き出せばよい。このとき、ポケット本体部１３も蓋板１１に追従して引き出されることで、一対のマグネット１７の磁力に抗して上面が開口した容器状に展開される。さらに本実施形態では、蓋板１１及びポケット本体部１３に追従して、スライドベース１２も凹部２０の外方へスライド移動する。これにより、蓋板１１をサイドシールド５の外方へ水平方向に引き出せば、スライドベース１２を含めてポケット１０全体がシート１の外方へ引き出される。これにより、ポケット１０の上面開口全体を収容物を出し入れする開口として利用できる。なお、スライドベース１２は、各突起１５がそれぞれ各案内溝２１内でスライド案内されることで、円滑且つ安定してスライド移動する。ポケット１０を凹部２０内へ格納するときは、蓋板１１を押し込めばよい。
【００２０】
（変形例）
上記実施形態では、ポケット１０をシート１の側面、すなわちサイドシールド５に設けたが、これに限らず、例えばシート１（シートクッション２）の前面、シート１（シートバック３やヘッドレスト４）の後面に設けることもできる。
【００２１】
ポケット本体部１３は、これ自体を容器状に形成したうえで、ポケット本体部１３の前壁外面に蓋板１１を、ポケット本体部１３の奥壁外面にスライドベース１２を設けることもできる。また、ポケット本体部１３は布製とすることもできる。突起１５及び案内溝２１は、必ずしもスライドベース１２の対向縁や凹部２０の対向面に設ける必要は無く、いずれか一縁及び一面に設けてあればよい。また、上下対向状に設けるほか、左右対向状に設けることもできる。また、突起１５及び案内溝２１は、各縁及び内面の二箇所に設ける必要は無く、一箇所又は三箇所以上設けることもできる。
【００２２】
ポケット１０の折り畳み形状を保形する一対のマグネット１７は、必ずしも設ける必要は無い。また、一対のマグネット１７は、ポケット１０の側壁に設けるほか、底壁に設けることもできる。スライドベース１２のマグネット１６及び凹部２０のマグネット２２も、必ずしも設ける必要は無い。この場合、不用意なポケット１０の突出を避けるため、蓋板１１と凹部２０の内壁に、フックと係合片とを設けて係止することが好ましい。また、マグネット１６・２２は、必ずしもスライドベース１２や凹部２０の内壁に埋設する必要は無い。また、マグネット１６・２２は、二箇所に限らず一箇所または三箇所以上設けてもよい。
【符号の説明】
【００２３】
１  シート
５  サイドシールド
１０  ポケット
１１  蓋板
１２  スライドベース
１３  ポケット本体部
１５  突起
１６・１７・２２  マグネット
２０  凹部
２１  案内溝
【図１】
2012020669.tif 000003
【図２】
2012020669.tif 000004
【図３】
2012020669.tif 000005
【図４】
2012020669.tif 000006
【図５】
2012020669.tif 000007
【図６】
2012020669.tif 000008